【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
加熱部材と加圧部材とのニップで画像を担持した記録材を挟持搬送させて記録材上の画像を加熱する像加熱装置を有する画像形成装置において、
前記加熱部材と加圧部材の少なくとも一方にバイアスを印加するバイアス印加部と、
前記バイアスの印加量を設定するバイアス設定部とを有し、
前記バイアス設定部は、第１の幅の記録材が通紙された後にそれよりも幅の広い第２の幅の記録材を通紙する場合、第１の幅の記録材の通紙枚数、及び第１の幅の記録材の通紙後第２の幅の記録材を通紙するまでの時間に応じて前記バイアスの印加量を設定することを特徴とした画像形成装置。
【請求項２】
加熱部材と加圧部材とのニップで画像を担持した記録材を挟持搬送させて記録材上の画像を加熱する像加熱装置を有する画像形成装置において、
前記加熱部材と加圧部材の少なくとも一方にバイアスを印加するバイアス印加部と、
前記バイアスの印加量を設定するバイアス設定部とを有し、
前記バイアス設定部は、或る枚数の第１の幅の記録材が通紙された後にそれよりも幅の広い第２の幅の記録材を通紙する場合、前記第１の幅の記録材の通紙後第２の幅の記録材を通紙するまでの時間に応じて前記バイアスの印加量を設定することを特徴とした画像形成装置。
【請求項３】
前記バイアス設定部は、第１の記録材の通紙後、第１の幅の記録材の通紙枚数に応じた所定時間が経過した後に、第２の記録材を通紙する場合、第１の記録材の通紙枚数に拘わらず一定のバイアスの印加量を設定することを特徴とする請求項１又は請求項２に記載の画像形成装置。
【請求項４】
加熱部材と加圧部材とのニップで画像を担持した記録材を挟持搬送させて記録材上の画像を加熱する像加熱装置を有する画像形成装置において、
前記加熱部材と加圧部材の少なくとも一方にバイアスを印加するバイアス印加部と、
前記バイアスの印加量を設定するバイアス設定部とを有し、
前記バイアス設定部は、第１の幅の記録材が通紙された後にそれよりも幅の広い第２の幅の記録材を通紙する場合、第１の幅の記録材の通紙枚数に応じて前記バイアスの印加量を設定することを特徴とした画像形成装置。
【請求項５】
前記加熱部材は、可撓性の移動部材と、該移動部材と摺動する摺動面を有した加熱ヒータを具備し、該移動部材を支持する支持部材からなることを特徴とした請求項１から請求項４の何れかに記載の画像形成装置。
【請求項６】
前記バイアス設定部は、第２の幅の記録材の通紙枚数に応じて段階的にバイアスの印加量を変化させて設定することを特徴とした請求項１から請求項５の何れかに記載の画像形成装置。
【請求項７】
前記ニップよりも記録材搬送方向下流側には除電手段を配設したことを特徴とした請求項１から請求項６の何れかに記載の画像形成装置。
【手続補正２】
【補正対象書類名】明細書
【補正対象項目名】０００１
【補正方法】変更
【補正の内容】
【０００１】
【発明の属する技術分野】
本発明は、加熱部材と加圧部材とのニップで画像を担持した記録材を挟持搬送させて記録材上の画像を加熱する像加熱装置を有する画像形成装置に関するものである。
【手続補正３】
【補正対象書類名】明細書
【補正対象項目名】００２４
【補正方法】変更
【補正の内容】
【００２４】
本発明は上記に鑑みて提案されたもので、加熱部材と加圧部材とのニップで画像を担持した記録材を挟持搬送させて記録材上の画像を加熱する像加熱装置を有する画像形成装置において、小サイズ記録材（第１の幅の記録材）を通紙してプリントした直後に大サイズ記録材（第１の幅の記録材よりも幅の広い第２の記録材）を通紙してプリントした場合に発生するオフセットを防止することを目的とする。
【手続補正４】
【補正対象書類名】明細書
【補正対象項目名】００２６
【補正方法】変更
【補正の内容】
【００２６】
（１）加熱部材と加圧部材とのニップで画像を担持した記録材を挟持搬送させて記録材上の画像を加熱する像加熱装置を有する画像形成装置において、
前記加熱部材と加圧部材の少なくとも一方にバイアスを印加するバイアス印加部と、
前記バイアスの印加量を設定するバイアス設定部とを有し、
前記バイアス設定部は、第１の幅の記録材が通紙された後にそれよりも幅の広い第２の幅の記録材を通紙する場合、第１の幅の記録材の通紙枚数、及び第１の幅の記録材の通紙後第２の幅の記録材を通紙するまでの時間に応じて前記バイアスの印加量を設定することを特徴とした画像形成装置。
（２）加熱部材と加圧部材とのニップで画像を担持した記録材を挟持搬送させて記録材上の画像を加熱する像加熱装置を有する画像形成装置において、
前記加熱部材と加圧部材の少なくとも一方にバイアスを印加するバイアス印加部と、
前記バイアスの印加量を設定するバイアス設定部とを有し、
前記バイアス設定部は、或る枚数の第１の幅の記録材が通紙された後にそれよりも幅の広い第２の幅の記録材を通紙する場合、前記第１の幅の記録材の通紙後第２の幅の記録材を通紙するまでの時間に応じて前記バイアスの印加量を設定することを特徴とした画像形成装置。
（３）前記バイアス設定部は、第１の記録材の通紙後、第１の幅の記録材の通紙枚数に応じた所定時間が経過した後に、第２の記録材を通紙する場合、第１の記録材の通紙枚数に拘わらず一定のバイアスの印加量を設定することを特徴とする（１）又は（２）に記載の画像形成装置。
（４）加熱部材と加圧部材とのニップで画像を担持した記録材を挟持搬送させて記録材上の画像を加熱する像加熱装置を有する画像形成装置において、
前記加熱部材と加圧部材の少なくとも一方にバイアスを印加するバイアス印加部と、
前記バイアスの印加量を設定するバイアス設定部とを有し、
前記バイアス設定部は、第１の幅の記録材が通紙された後にそれよりも幅の広い第２の幅の記録材を通紙する場合、第１の幅の記録材の通紙枚数に応じて前記バイアスの印加量を設定することを特徴とした画像形成装置。
【手続補正５】
【補正対象書類名】明細書
【補正対象項目名】００２７
【補正方法】変更
【補正の内容】
【００２７】
（５）前記加熱部材は、可撓性の移動部材と、該移動部材と摺動する摺動面を有した加熱ヒータを具備し、該移動部材を支持する支持部材からなることを特徴とした（１）から（４）の何れかに記載の画像形成装置。
【手続補正６】
【補正対象書類名】明細書
【補正対象項目名】００２８
【補正方法】変更
【補正の内容】
【００２８】
（６）前記バイアス設定部は、第２の幅の記録材の通紙枚数に応じて段階的にバイアスの印加量を変化させて設定することを特徴とした（１）から（５）の何れかに記載の画像形成装置。
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】変更
【補正の内容】
【００３０】
（７）前記ニップよりも記録材搬送方向下流側には除電手段を配設したことを特徴とした（１）から（６）の何れかに記載の画像形成装置。
【手続補正９】
【補正対象書類名】明細書
【補正対象項目名】００３１
【補正方法】削除
【補正の内容】
【手続補正１０】
【補正対象書類名】明細書
【補正対象項目名】００４０
【補正方法】変更
【補正の内容】
【００４０】
１００は画像形成装置の制御回路部であり、画像形成装置全体の作像動作シーケン制御を司る。Ｅは定着装置２５に対する定着バイアス印加電源、１０１はこの電源Ｅのドライバである。また、不図示の給紙部から定着装置２５に至る記録材搬送路に記録材が所定以上の幅を持つものである場合に動作する幅センサを設けており、制御回路部１００はこの幅センサの信号または不図示の給紙カセットに設けられたセンサ信号により装置に通紙使用される記録材のサイズを判断するとともに、装置の最大通紙幅よりも幅の狭い記録材（第１の幅の記録材）が通紙された後にそれよりも幅の広い記録材（第２の幅の記録材）を通紙する場合は幅の狭い記録材の通紙枚数及び幅の狭い記録材プリント終了から幅の広い記録材プリントまでの時間に応じてドライバ１０１を介して電源Ｅの出力を制御して定着装置２５に対する定着バイアス印加量を所定に制御している。これについては後述する。
【手続補正１１】
【補正対象書類名】明細書
【補正対象項目名】００６７
【補正方法】変更
【補正の内容】
【００６７】
（３）定着バイアスシーケンス
前述したように、不図示の給紙部から定着装置２５に至る記録材搬送路に記録材が所定以上の幅を持つものである場合に動作する幅センサを設けており、制御回路部１００はこの幅センサの信号または不図示の給紙カセットに設けられたセンサ信号により装置に通紙使用される記録材のサイズを判断するとともに、装置の最大通紙幅よりも幅の狭い記録材（第１の幅の記録材）が通紙された後にそれよりも幅の広い記録材（第２の幅の記録材）を通紙する場合は幅の狭い記録材の通紙枚数及び幅の狭い記録材プリント終了から幅の広い記録材プリントまでの時間に応じてドライバ１０１を介して電源Ｅから導電ブラシ５１への出力を制御して定着装置２５に対する定着バイアス印加量を所定に制御している。